(57)【要約】【課題】  容器体に対する操作体の、安定した螺合着脱動作を利用して、注出する内容液の正確な計量を達成すると共に、内容液を容器体から直接目的箇所に塗布できるようにすることにより、一回の使用で注出する内容液の量の計量を簡単に達成すると共に、目的箇所への塗布を簡単に行う。【解決手段】  容器体１の開口部に離脱不能に螺合組付きする操作体２７内に、中栓体９と伸縮体１６とにより計量室Ｋを形成し、この計量室Ｋを、操作体２７の螺合動作により容積を増減させる構成とし、中栓体９に計量室Ｋに連通する内容液Ｎ吸上げ用の吸上げパイプ１５を取付け、伸縮筒部１７の上端に、操作体２７内から上方に突き出した注出筒部１９を起立設し、注出筒部１９内に、上端開口部である注出口を開閉する弁体２３を設けて構成し、注出内容液Ｎの量を簡単に、正確に計量する。【選択図】図１
2005132423.tif 000002
【特許請求の範囲】
【請求項１】
容器体(1)の開口部を覆って、離脱不能に螺合組付きする操作体(27)内に、前記容器体(1)の開口部に密に組付く中栓体(9)と伸縮体(16)とにより計量室(K)を形成し、該計量室(K)を、前記操作体(27)の螺合動作に伴なう昇降変位に従った伸縮体(16)の伸縮筒部(17)の伸縮変形で容積を増減させる構成とし、前記中栓体(9)に、前記計量室(K)に連通する内容液(N)吸上げ用の吸上げパイプ(15)を取付け、前記伸縮筒部(17)の上端に、前記操作体(27)内から上方に突き出した注出筒部(19)を起立設し、該注出筒部(19)の上端開口部である注出口を、該注出口から上端部を突出させかつ上方に付勢された弁片(24)で開閉する弁体(23)を、前記注出筒部(19)内に設けて成る定量注出塗布容器。
【請求項２】
操作体(27)の上端部に、伸縮体(16)の注出筒部(19)に空転自在に外嵌する押し下げ筒片(34)を設け、該押し下げ筒片(34)の下端縁を、前記伸縮体(16)の伸縮筒部(17)の上端部に当接させて、該伸縮筒部(17)を、弁片(24)に対する上方への付勢力よりも強い弾力で伸び変形するものとした請求項１記載の定量注出塗布容器。
【請求項３】
伸縮体(16)の注出筒部(19)の外周面に、操作体(27)の上端部に設けた押し下げ筒片(34)が空転自在に外嵌係合する、係合周凹部(20)を設けた請求項１記載の定量注出塗布容器。
【請求項４】
操作体(27)の下降変位により、該操作体(27)の押し下げ筒片(34)で押し下げ潰れ変形した伸縮筒部(17)の内面に、外周端部を密接触させる中央膨出部(14)を、中栓体(9)の中央に起立状に設けた請求項２または３記載の定量注出塗布容器。
【発明の詳細な説明】
【技術分野】
【０００１】
本発明は、育毛剤薬液とか化粧液等の高価で一回の注出使用量を一定化することが望ましい液体の、一回の注出操作で注出される量を、一定量に計量し、この定量の内容液を、そのまま注出して塗布することのできる定量注出塗布容器に関するものである。
【背景技術】
【０００２】
育毛剤等の薬液を収容し、一回の注出使用量を計量して一定化する定量注出塗布容器として、取出口を有する容器本体と、この容器本体の取出口に密に組付いて透孔を形成する中栓と、この中栓と組合さって計量室を形成すると共に上端に挿通口を開設した計量筒部材と、この計量筒部材内に、挿通口から上端部を突出させた状態で、昇降変位可能に組付けられ、中栓の透孔および計量筒部材の挿通口を開閉する弁機能部分を有すると共に注出口を有する弁部材と、容器本体に螺合着脱して、弁部材を昇降変位させるキャップとから構成されたものがある。
【特許文献１】特開２００２−３３７９１０号公報
【０００３】
この特許文献１にあっては、キャップの螺脱により弁部材を引上げて、中栓の透孔を開放すると共に、計量筒部材の挿通口を閉鎖し、この状態のまま容器本体を倒立させて計量室内に一定量の内容液を流下位置させ、引き続き、弁部材の先端を頭皮等に押付けて、弁部材を押し込むことにより、弁部材で中栓の透孔を閉鎖すると共に、注出口を計量室に連通させて、計量室内の一定量の内容液を注出する。
【０００４】
また、同じ計量注出容器として、液体容器の容器口元に螺合着脱されるキャップ内に、このキャップの着脱動作により伸縮変形する伸縮容器を内蔵させ、この伸縮容器に液体容器の底部まで延びたパイプを連結取付けして、スポイト構造を構成したものがある。
【特許文献２】特開２００１−３２８６５９号公報
【０００５】
この特許文献２にあっては、キャップの螺脱に伴う伸縮容器の伸び変形により、この伸縮容器内にパイプを通して定量の内容液を吸上げ、キャップを液体容器から離脱させた状態で、専用の注出ボタンにより伸縮容器を収縮変形させて、定量の内容液をパイプの延出端から、目的箇所に注出する。
【発明の開示】
【発明が解決しようとする課題】
【０００６】
しかしながら、特許文献１に開示された従来技術にあっては、キャップによる弁部材の引き上げに、両者間の比較的強力な係合と、この係合の強引な乗り越えによる解除とを要するため、弁部材のキャップとの係合機能部分が、早期に磨耗劣化することになり、これにより弁部材の安定して確実な引き上げ動作を得難くなる、と云う問題があった。
【０００７】
かつ、弾性材製の弁部材の安定した昇降変位を得るべく、弁部材の円筒部に、中栓に設けた軸部を嵌入させて、この軸部により弁部材の昇降変位をガイドするようにしているが、軸部により円筒部内に閉じ込められた空気のエアークッション作用により、弁部材の所定位置への速やかな移動が妨げられ、これにより弁部材による中栓の透孔および計量筒部材の挿通口の密閉が不完全となり、内容液が不正に漏出する、と云う問題があった。
【０００８】
また、特許文献２に開示された従来技術にあっては、定量の内容液を注出しようとする度に、キャップを液体容器から離脱させなければならず、内容液注出の際におけるキャップの取扱いが、面倒で煩わしい、と云う問題があった。
【０００９】
そこで、本発明は、上記した従来技術における問題点を解消すべく創案されたもので、容器体に対するキャップ状をした操作体の、安定した螺合着脱動作を利用して、注出する定量の内容液の正確な計量を達成すると共に、この定量の内容液を、容器体から直接目的箇所に塗布できるようにすることを技術的課題とし、もって一回の使用で注出する内容液の量の計量を簡単に達成すると共に、内容液の目的箇所への塗布を簡単に行うことができるようにすることを目的とする。
【課題を解決するための手段】
【００１０】
上記技術的課題を解決する本発明の内、請求項１記載の発明に手段は、
容器体の開口部を覆って、離脱不能に螺合組付きする操作体内に、容器体の開口部に密に組付く中栓体と伸縮体とにより、計量室を形成すること、
この計量室を、伸縮体の伸縮筒部の、操作体の螺合動作に伴なう昇降変位に従った伸縮変形で容積を増減させる構成とすること、
中栓体に計量室に連通する、内容液吸上げ用の吸上げパイプを取付けること、
伸縮体の伸縮筒部の上端に、操作体内から上方に突き出した注出筒部を起立設すること、
この注出筒部の上端開口部である注出口を、この注出口から上端部を突出させ、かつ上方に付勢された弁片で開閉する弁体を、注出筒部内に設けること、
にある。
【００１１】
この請求項１記載の発明にあっては、操作体が螺合限、すなわち下降限に組付いた状態で、伸縮体の伸縮筒部は押し潰された状態にあり、また伸縮体の注出筒部の注出口は弁体で密閉されているので、計量室は、密閉された状態で小さく押し潰されている。
【００１２】
この状態から、容器体を正立姿勢としたまま、操作体を螺脱方向に回動させ上昇変位させると、この操作体の上昇変位に従って伸縮体の伸縮筒部が伸び変形して、計量室の容積を増大変化させ、この増大変化した容積分の容量の内容液を、吸上げパイプを介して計量室に吸上げる。
【００１３】
この計量室の増大容積値は、螺脱動作に伴う操作体の上昇変位量に従って決定されるものであるので、操作体を螺脱方向に回動限まで回動させることにより、常に一定した定量の内容液を計量吸上げすることになる。
【００１４】
操作体の螺脱回動操作により、計量室に定量の内容液を吸上げたならば、容器体を倒立させて、そのまま伸縮体の注出筒部の注出口を閉鎖して突出している弁体の弁片の先端部を、頭皮等の被塗布体表面に押付け、これにより弁片を付勢力に逆らって後退させて、伸縮体の注出筒部の注出口を開放して、計量室内の定量の内容液を、被塗布体表面に注出塗布する。
【００１５】
この計量した内容液を注出している状態、すなわち容器体を倒立させた状態では、吸上げパイプの下端開口部が、容器体内の内容液の液面上に位置するので、容器体内の内容液が計量室に流入することはなく、注出される内容液は、計量室内の計量された内容液だけとなる。
【００１６】
請求項２記載の発明は、請求項１記載の発明の構成に、操作体の上端部に、伸縮体の注出筒部に空転自在に外嵌する押し下げ筒片を設け、この押し下げ筒片の下端縁を、伸縮体の伸縮筒部の上端部に当接させて、この伸縮筒部を、弁片に対する上方への付勢力よりも強い弾力で伸び変形するものとしたこと、を加えたものである。
【００１７】
この請求項２記載の発明にあっては、伸縮体の伸縮筒部は、それ自体の弾力により、押し潰された計量前状態から、膨らんだ計量状態に自己復帰するので、操作体の押し下げ筒片は、この伸縮筒部に対して押し下げ力だけを作用させればよく、それゆえ押し下げ筒片と伸縮筒部との組付き構成は、単に押し下げ筒片の下端が伸縮筒部の略中央部の上面に当接しているだけでよいことになる。
【００１８】
また、伸縮筒部の弾力は、弁片に対する上方への付勢力よりも強いので、内容液を注出させる際に、弁片に対する押し下げ力により、伸縮筒部が不正に押し潰れ変形して、計量した計量室内の内容液を容器体内に還流させる、と云う不都合の発生を阻止する。
【００１９】
請求項３記載の発明は、請求項１記載の発明の構成に、伸縮体の注出筒部の外周面に、操作体の上端部に設けた押し下げ筒片が空転自在に外嵌係合する、係合周凹部を設けたこと、を加えたものである。
【００２０】
この請求項３記載の発明にあっては、伸縮体の伸縮筒部の伸縮変形は、操作体の螺合動作に伴う昇降変位に従って行われるので、この伸縮筒部に大きな弾力を付与する必要がなく、また伸縮体の注出筒部は、操作体の押し下げ筒片に昇降変位不能に保持されることになるので、計量した内容液の注出の際に、弁片に押し下げ力が作用しても、不正に下降変位することがない。
【００２１】
請求項４記載の発明は、請求項２または３記載の発明の構成に、操作体の下降変位により、この操作体の押し下げ筒片で押し下げ潰れ変形した伸縮筒部の内面に、外周端部を密接触させる中央膨出部を、中栓体の中央に起立状に設けたこと、を加えたものである。
【００２２】
この請求項４記載の発明にあっては、操作体の押し下げ筒片で押し下げられた伸縮筒部が、この押し下げ筒片と中栓体の中央膨出部との間に挟み付けられた状態で、伸縮筒部の内面と中央膨出部の外周端部とが密接触して、伸縮体の注出筒部の下端開口部が密閉されることになり、これにより待機状態時における容器の密閉を強固で確実なものとする。
【発明の効果】
【００２３】
本発明は、上記した構成となっているので、以下に示す効果を奏する。
請求項１記載の発明にあっては、注出したい内容液を、操作体の螺脱回動量に従って正確に計量することができ、これにより定量の内容液の注出を簡単にかつ精度良く達成することができる。
【００２４】
また、内容液の注出は、容器体を倒立させた状態で、弁体の弁片を被塗布体表面に押し付けることにより達成されるので、定量の内容液を、定量注出塗布容器から、直接被塗布体表面に注出塗布することができる。
【００２５】
さらに、計量した内容液を注出する、容器体を倒立させた姿勢では、吸上げパイプの下端開口部が、容器体内の内容液の液面上に位置するので、内容液が不正に計量室に流入することがなく、計量した内容液の安全で正確な注出を達成することができる。
【００２６】
請求項２記載の発明にあっては、伸縮体と操作体との組付き構成をきわめて簡単なものとすることができ、また内容液の注出操作力に影響されることなく、計量した内容液の全部を確実に注出させることができる。
【００２７】
請求項３記載の発明にあっては、伸縮体の伸縮筒部に大きな弾力を付与する必要がないので、この伸縮筒部の構成を簡単化することができ、また伸縮体の注出筒部の昇降変位を、操作体の昇降変位に完全に追従させることができるので、内容液の計量および注出動作を、確実で正確なものとすることができる。
【００２８】
請求項４記載の発明にあっては、定量注出塗布容器の待機状態時における密閉を、強固にかつ確実に維持することができる。
【発明を実施するための最良の形態】
【００２９】
以下、本発明の一実施形態を、図面を参照しながら説明する。
図１ないし図４は、本発明の一実施形態を示したもので、内容液Ｎを収納する壜体状の容器体１と、この容器体１の開口部に密に組付き、容器体１の底部まで延びた吸上げパイプ１５を有する中栓体９と、容器体１および中栓体９と密に組付いて、間に計量室Ｋを形成する伸縮体１６と、伸縮体１６の注出筒部１９内に組付いて、この注出筒部１９の上端開口部である注出口を開閉する弁体２３と、容器体１に離脱不能に螺合組付きし、螺合動作に伴う昇降変位により、伸縮体１６の伸縮筒部１７を伸縮変形させる操作体２７と、から構成されている。
【００３０】
容器体１は、有底筒形状をした胴部２の上端に、肩部を介して縮径して、外周面に螺条を刻設した円筒状の首部３を連設し、この首部３の上端に、係止段部４を介して縮径して、垂直な円周面である外周面の上端に係止突条６を周設した係止筒部５を連設し、この係止筒部５の上端に、縮径段部８を介して縮径して、外周面上端に係止機能部を設けた短円筒状の口筒部７を連設して構成されている。
【００３１】
中栓体９は、外周端部を口筒部７の上端面に搭載させたリング平板状の本体板１０の下面に、口筒部７に密嵌入する嵌着筒片１１を垂下設すると共に、この嵌着筒片１１の内側の本体板１０部分に開設された吸上げ孔１３を囲んで、下端を容器体１の底部まで延ばした吸上げパイプ１５の上端部を密に嵌入固定する結合筒片１２を垂下設し、本体板１０の中央に、伸縮体１６との間に形成する計量室Ｋの容積の大きさを制限するための、有頂短円筒状の中央膨出部１４を一体設して構成されている。
【００３２】
伸縮体１６は、口筒部７に密に外嵌係止する組付き筒部１８の上端から、中栓体９の本体板１０の外周端部を口筒部７の上端面に押付ける内鍔片を介して、上端中央部を開放した半球弧状の伸縮筒部１７を連設し、この伸縮筒部１７の上端開口部の開口縁から、上端部を、上方に縮径して注出口を形成するテーパー筒片状の口筒片２１とした注出筒部１９を起立連設し、この注出筒部１９の内周面下端部に支持突片２２を設けて構成されている。
【００３３】
この伸縮体１６における伸縮筒部１７は、上下方向に沿って伸縮変形可能である必要があることから、その全体を撓み変形可能な軟質材料、例えば各種ゴム材料、ポリオレフィン系、ポリエステル系エラストマー等の軟質材料で成形する必要があり、また押し潰された状態から、半球弧状に自己復帰する際に、計量室Ｋに内容液Ｎを吸上げるだけの力を発揮できる弾力を有するものとなっている。
【００３４】
伸縮体１６の注出筒部１９内に組付けられる弁体２３は、口筒片２１が形成する注出口から外部に突出する、外周面に複数の内容液流出用の縦溝を設けた棒状片の下端に、口筒片２１の内側テーパー面に密接するテーパー状の弁座面を有する拡径部を一体設した弁片２４の下端にバネ片２５を連設し、このバネ片２５の下端を、注出筒部１９の支持突片２２に係止して不動に保持される組付きリング２６に連結して構成されている。
【００３５】
この弁体２３は、弾性に富んだ合成樹脂材料により一体成形されており、バネ片２５は、２条または３条の複数条とするのが望ましいが、これに限るものではない。
【００３６】
操作体２７は、容器体１の首部３に螺合する螺着筒部２８の上端に、縮径段部を介して、内周面下端に係止突片３０を突周設した円筒状の規制筒部２９を連設し、この規制筒部２９の上端に、上方に縮径したテーパー筒状をした肩筒部３１を介して、外周面に螺条を刻設した着脱筒部３２を起立設し、この着脱筒部３２の上端に、内鍔片３３を介して、注出筒部１９に充分な遊びをもって外嵌し、下端を伸縮筒部１７の上端部分に当接させる押し下げ筒片３４を垂下連設して構成されている。
【００３７】
この操作体２７において、螺着筒部２８は、容器体１に対する昇降変位可能な組付きを達成する部分であり、規制筒部２９は、係止突片３０の係止突条６に対する係止により容器体１に対して抜け出し不能とすると共に、係止段部４に対する突き当りにより螺合組付き限を設定する部分であり、押し下げ筒片３４は、操作体２７からの押し下げ力を伸縮筒部１７に作用させて、この伸縮筒部１７を潰し変形させると共に、注出筒部１９が傾かないように支える部分である。
【００３８】
操作体２７の着脱筒部３２に螺合着脱して、注出口を形成する口筒片２１を保護するキャップ体３５は、口筒片２１に外嵌する栓筒片３７を、下面中央に垂下設した頂壁３６の周端縁から、着脱筒片３２の螺条に螺合する螺条を内周面に刻設した筒壁３８を垂下設して構成されている。
【００３９】
この図１ないし図４に示した実施例において、図１および図２に示した待機状態では、伸縮体１６の伸縮筒部１７は、下降限に位置している操作体２７の押し下げ筒片３４により押し潰された状態にあり、このため計量室Ｋの容積は最小となっている。
【００４０】
また、弁体２４の弁片２４の弁座面が、バネ片２５の弾力により口筒片２１の内面に密接しているので、口筒片２１が形成する注出口は密閉されている。
【００４１】
さらに、操作体２７の押し下げ筒片３４で押し潰された伸縮筒部１７は、その上端部、すなわち注出筒部１９の下端開口部の周囲に位置する部分を、押し下げ筒片３４と中栓体９の中央膨出部１４との間で挟持された状態で、中央膨出部１４の上端面外周端部に密接触させており、これにより待機状態時における定量注出塗布容器のより強固な密閉を確保している。
【００４２】
この状態から、操作体２７を螺脱方向に回動させると押し下げ筒片３４が上昇変位するが、この押し下げ筒片３４の上昇変位に追従して、伸縮筒部１７が原形復帰状に伸び変形するので、計量室Ｋの容積が増大変化し、この計量室Ｋの容積の増大分と等しい容量の内容液Ｎを、図３に示すように、容器体１から計量室Ｋに吸上げる。
【００４３】
計量室Ｋ内に定量の内容液Ｎを吸上げたならば、キャップ体３５を取外して容器体１を倒立させ、そのまま頭皮等の被塗布面に弁片２４を押付け（図４参照）て、バネ片２５の弾力に逆らって、弁片２４を後退変位させることにより、注出口を開放して、計量室Ｋ内の内容液Ｎを被塗布面に注出して塗布する。
【００４４】
この内容液Ｎの注出動作時には、容器体１が倒立姿勢となっていることから、吸上げパイプ１５の下端開口部は、容器体１内の内容液Ｎの液面上に位置することとなり、このため内容液Ｎの注出動作時に、容器体１内の内容液Ｎが計量室Ｋに流入することはない。
【００４５】
弁体２３は、被塗布面への押付けによる弁片２４の後退変位により、注出口を開放し、被塗布面への押付け解除による弁片２４の突出復帰により、注出口を密閉する。
【００４６】
この状態から、図１に示すように、操作体２７を螺合限まで組付けて待機状態とする。
【００４７】
この図１ないし図４に示した実施形態にあっては、伸縮筒部１７は、自己の弾力により伸び変形するものであるので、弁片２４による口筒片２１の開閉を確実で安定したものとすべく、伸縮筒部１７の弾力は、バネ片２５の弾力に比べて充分に大きなものに設定されている。
【００４８】
図５は、本発明の他の実施形態を示すもので、伸縮体１６の注出筒部１９の外周面に係合周凹部２０を周設し、この係合周凹部２０に操作体２７の押し下げ筒片３４を遊びを持たせて離脱不能に外嵌係合させたものである。
【００４９】
この図５に示した実施形態にあっては、係合周凹部２０に対する押し下げ筒片３４の離脱不能な係合により、伸縮体１６の伸縮筒部１７には、操作体２７の押し下げ筒片３４から、押し下げ力だけではなく引き上げ力も作用することになるので、伸縮筒部１７は、自己復帰することのできる弾力、すなわち計量室Ｋに内容液Ｎを吸上げることのできる弾力を持つ必要がなく、単に引上げられた際に、計量室Ｋ内の負圧に負けて萎み変形することがない程度の剛性を持っていれば良いことになる。
【００５０】
なお、伸縮体１６の注出筒部１９と操作体２７の押し下げ筒片３４との間に遊びを持たせたのは、この注出筒部１９と押し下げ筒片３４とが、空転自在に組付く必要があるためである。
【図面の簡単な説明】
【００５１】
【図１】本発明の一実施形態の構造を示す、全体半縦断面図である。
【図２】図１に示した実施形態の、要部拡大縦断面図である。
【図３】図１に示した実施形態の計量状態を示す、全体半縦断面図である。
【図４】図１に示した実施形態の注出状態を示す、全体半縦断面図である。
【図５】本発明の他の実施形態の構造を示す、要部拡大縦断面図である。
【符号の説明】
【００５２】
１    ；  容器体
２    ；  胴部
３    ；  首部
４    ；  係止段部
５    ；  係止筒部
６    ；  係止突条
７    ；  口筒部
８    ；  縮径段部
９    ；  中栓体
１０  ；  本体板
１１  ；  嵌着筒片
１２  ；  結合筒片
１３  ；  吸上げ孔
１４  ；  中央膨出部
１５  ；  吸上げパイプ
１６  ；  伸縮体
１７  ；  伸縮筒部
１８  ；  組付き筒部
１９  ；  注出筒部
２０  ；  係合周凹部
２１  ；  口筒片
２２  ；  支持突片
２３  ；  弁体
２４  ；  弁片
２５  ；  バネ片
２６  ；  組付きリング
２７  ；  操作体
２８  ；  螺着筒部
２９  ；  規制筒部
３０  ；  係止突片
３１  ；  肩筒部
３２  ；  着脱筒部
３３  ；  内鍔片
３４  ；  押し下げ筒片
３５  ；  キャップ体
３６  ；  頂壁
３７  ；  栓筒片
３８  ；  筒壁
Ｋ    ；  計量室
Ｎ    ；  内容液
【図１】
2005132423.tif 000003
【図２】
2005132423.tif 000004
【図３】
2005132423.tif 000005
【図４】
2005132423.tif 000006
【図５】
2005132423.tif 000007